(57)【要約】【課題】需要家との契約関係に対応した検針業務を行うことを可能にする携帯端末を提供すること。【解決手段】検針員による検針作業で用いられる携帯端末であって、検針作業の対象となる顧客との契約関係を示す情報を含む顧客情報を記憶する顧客情報記憶手段と、顧客情報記憶手段で記憶される顧客情報を用いて検針作業の対象となる顧客を選択する検針対象選択手段と、検針対象選択手段で選択した顧客の検針結果を受け付ける検針結果受付手段と、顧客情報記憶手段で記憶される顧客情報における契約関係に基づいて、検検針結果受付手段で受け付けた検針結果の出力態様を決定するように制御する出力制御手段と、を備えることを特徴とする。【選択図】図５
2019113954.tif 000002
【特許請求の範囲】
【請求項１】
検針員による検針作業で用いられる携帯端末であって、
前記検針作業の対象となる顧客との契約関係を示す情報を含む顧客情報を記憶する顧客情報記憶手段と、
前記顧客情報記憶手段で記憶される顧客情報を用いて前記検針作業の対象となる顧客を選択する検針対象選択手段と、
前記検針対象選択手段で選択した顧客の検針結果を受け付ける検針結果受付手段と、
前記顧客情報記憶手段で記憶される顧客情報における契約関係に基づいて、前記検検針結果受付手段で受け付けた検針結果の出力態様を決定するように制御する出力制御手段と、
を備えることを特徴とする携帯端末。
【請求項２】
前記出力制御手段は、前記検針対象選択手段で選択を受け付けた顧客が自社とガス契約している場合には、前記検針結果を含む検針票を印刷出力するように制御し、前記検針対象選択手段で選択を受け付けた顧客が自社とガス契約していない場合には、前記検針結果を含む検針票を記憶部へ出力し、且つ印刷出力しないように制御することを特徴とする請求項１に記載の携帯端末。
【請求項３】
前記検針員とは異なる業者が検針を行った検針結果を示す他の検針結果を外部装置から取得する検針結果受付手段を更に備えることを特徴する請求項２に記載の携帯端末。
【請求項４】
前記検針結果受付手段は、前記検針対象選択手段で選択を受け付けた顧客が自社と電気契約している場合に、前記他の検針結果を外部装置から取得することを特徴する請求項３に記載の携帯端末。
【請求項５】
前記出力制御手段は、前記検針対象選択手段で選択を受け付けた顧客が自社とガス契約し、且つ自社と電気契約している場合には、前記検針結果と前記他の検針結果を含む検針票を印刷出力することを特徴とする請求項４に記載の携帯端末。
【請求項６】
前記出力制御手段は、前記検針対象選択手段で選択を受け付けた顧客が自社とガス契約しておらず、且つ、前記検針対象選択手段で選択を受け付けた顧客が自社と電気契約している場合には、前記検針結果を含めずに前記他の検針結果を含む検針票を印刷出力することを特徴とする請求項４に記載の携帯端末。
【請求項７】
前記出力制御手段は、前記検針対象選択手段で選択を受け付けた顧客が自社とガス契約または電気契約の少なくともいずれか一方の契約を行っていない場合には、営業情報を印刷出力することを特徴とする請求項１に記載の携帯端末。
【請求項８】
検針作業の対象となる顧客との契約関係を示す情報を含む顧客情報を記憶する顧客情報記憶手段を有し、検針員による検針作業で用いられる携帯端末であって、
前記顧客情報記憶手段で記憶される顧客情報を用いて前記検針作業の対象となる顧客を選択する検針対象選択工程と、
前記検針対象選択工程で選択した顧客の検針結果を受け付ける検針結果受付工程と、
前記顧客情報記憶手段で記憶される顧客情報における契約関係に基づいて、前記検検針結果受付工程で受け付けた検針結果の出力態様を決定するように制御する出力制御工程と、
を備えることを特徴とする携帯端末の制御方法。
【請求項９】
検針員による検針作業で用いられる検針システムであって、
前記検針作業の対象となる顧客との契約関係を示す情報を含む顧客情報を記憶する顧客情報記憶手段と、
前記顧客情報記憶手段で記憶される顧客情報を用いて前記検針作業の対象となる顧客を選択する検針対象選択手段と、
前記検針対象選択手段で選択した顧客の検針結果を受け付ける検針結果受付手段と、
前記顧客情報記憶手段で記憶される顧客情報における契約関係に基づいて、前記検検針結果受付手段で受け付けた検針結果の出力態様を決定するように制御する出力制御手段と、
を備えることを特徴とする検針システム。
【請求項１０】
請求項１乃至７に記載の携帯端末の各手段をコンピュータに実行させるためのコンピュータプログラム。
【発明の詳細な説明】
【技術分野】
【０００１】
本発明は、検針業務に用いられる携帯端末、携帯端末の制御方法、検針システム、およびコンピュータプログラムに関する。
【背景技術】
【０００２】
近年、情報機器やプリンタの小型化により、帳票印刷は携帯端末を用いて場所や時間の制限無く行なう事が可能となっている。このような帳票出力方法は顧客の玄関先に作業者が伺い、その場で帳票を出力する電気、ガス、水道などの検針業務等で知られている。携帯端末のユーザは、携帯端末に搭載されているアプリで、データの入力、保存、送信といった処理を実行する。
【０００３】
特許文献１には、複数の場所にある電力メータを検針し、まとめて特定の場所に配布したい場合に一括して印刷する仕組みが開示されている。
【先行技術文献】
【特許文献】
【０００４】
【特許文献１】特開２００６−１６３９３１号公報
【発明の概要】
【発明が解決しようとする課題】
【０００５】
しかしながら、特許文献１に記載の技術では、検針を行なった会社の検針員が、該検針に関する検針票を印刷することが前提であるものの、検針を実施するが検針票を出力しない場合や、他の検針結果を用いて検針票を出力することについては何ら検討されていなかった。そのため、従来の携帯端末に記載の技術では、検針員の所属する会社と顧客との契約状況に応じて適切に対応できないおそれがあった。
【０００６】
そこで、本発明は、上記課題に鑑みてなされたものであり、需要家との契約関係に対応した検針業務を行うことを可能にする携帯端末を提供することを目的とする。
【課題を解決するための手段】
【０００７】
そこで、本発明は、検針員による検針作業で用いられる携帯端末であって、前記検針作業の対象となる顧客との契約関係を示す情報を含む顧客情報を記憶する顧客情報記憶手段と、前記顧客情報記憶手段で記憶される顧客情報を用いて前記検針作業の対象となる顧客を選択する検針対象選択手段と、前記検針対象選択手段で選択した顧客の検針結果を受け付ける検針結果受付手段と、前記顧客情報記憶手段で記憶される顧客情報における契約関係に基づいて、前記検検針結果受付手段で受け付けた検針結果の出力態様を決定するように制御する出力制御手段と、を備えることを特徴とする。
【発明の効果】
【０００８】
本発明によれば、需要家との契約関係に対応した検針業務を行うことを可能にする携帯端末を提供することができる。
【図面の簡単な説明】
【０００９】
【図１】本実施形態における検針システムの一例を示す図である。
【図２】本実施形態における携帯端末のハードウェア構成の一例を示す図である。
【図３】本実施形態における情報処理装置のハードウェア構成の一例を示す図である。
【図４】本実施形態における検針システムの機能構成の一例を示す図である。
【図５】本実施形態における検針業務の際に携帯端末が実施する各処理の一例を示すフローチャートである。
【図６】本実施形態における営業情報の取得処理の一例を示すフローチャートである。
【図７】本実施形態における検針業務の際に携帯端末が表示する画面の一例である。
【図８】本実施形態における検針業務の際に携帯端末が表示する画面の一例である。
【図９】本実施形態におけるデータベースの一例を示す図である。
【図１０】本実施形態における検針業務の際に携帯端末が表示する画面の一例である。
【発明を実施するための形態】
【００１０】
以下、図面を参照して、本発明の一実施形態を詳細に説明する。なお、以下説明する実施形態は、本発明を具体的に実施した場合の一例を示すもので、特許請求の範囲に記載した構成の具体的な実施形態の１つである。
【００１１】
図１を用いて、本実施形態の検針システム１０について説明する。検針システム１０は、携帯端末１０１、情報処理装置１０２を備える。検針システム１０において、携帯端末１０１と情報処理装置１０２はネットワーク１０３により相互に接続されている。
【００１２】
携帯端末１０１は、検針員が、検針業務を行う際に携帯する端末である。検針員は、携帯端末１０１を用いて、電力メータやガスメータ、水道メータを含む計量器を検針する。以下、検針員を携帯端末１０１のユーザあるいは利用者として説明する。検針業務について説明する。検針員は、これらの各種計量器のメータの指針を読み取る。そして、検針員は、読み取った指針を携帯端末１０１に入力する。その後、検針員の操作により携帯端末１０１は、検針票を印刷出力する。検針票には、ガス等の使用量と請求金額等が記載されている。
【００１３】
情報処理装置１０２は、図９に示す各データベースを記憶する。情報処理装置１０２は携帯端末１０１へ、顧客情報（図９における９００）、ガス検針情報（図９における９１０）、電気検針情報（図９における９２０）等の各データベースから検針に用いる情報を送信する。なお、データベースについては、図９を用いて後述する。また、情報処理装置１０２は、携帯端末１０１が取得した検針結果を受信する。また、情報処理装置１０２と通信可能な携帯端末１０１の数は１台に限られず、複数台であってもよい。
【００１４】
ネットワーク１０３は、例えばローカルネットワーク等の通信規格を満たす複数のルータ、スイッチ、ケーブル等から構成される。なお、本実施形態においては、携帯端末１０１と情報処理装置１０２との間の通信を行うことができるものであればその通信規格、規模、構成を問わない。例えば、ネットワーク１０３は、インターネットや有線ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）等により構成されてもよい。
【００１５】
次に、図２を用いて、携帯端末１０１に適用可能なハードウェア構成の一例について説明する。
【００１６】
図２において、２０１はＣＰＵであり、システムバス２０４に接続される各デバイスやコントローラを統括的に制御する。
【００１７】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。ＲＡＭ２０３は、ＣＰＵ２０１の主メモリ、ワークエリア等として機能する。
【００１８】
ＣＰＵ２０１は、処理の実行に際して必要なプログラム等をＲＡＭ２０３にロードして、プログラムを実行することで各種動作を実現するものである。
【００１９】
また、入力コントローラ（入力Ｃ）２０５は、キーボード２０９や不図示のマウス等のポインティングデバイスからの入力を制御する。
【００２０】
ビデオコントローラ（ＶＣ）２０６は、ディスプレイ２１０への表示を制御する。ディスプレイは、ＣＲＴディスプレイでも液晶ディスプレイ等でも構わない。
【００２１】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標）（ＦＤ）或いはＰＣＭＣＩＡカードスロットにアダプタを介して接続されるメモリ等の外部メモリ２１１へのアクセスを制御する。
【００２２】
通信Ｉ／Ｆコントローラ（通信Ｉ／ＦＣ）２０８は、ネットワーク１０３を介して、外部機器と接続・通信するものであり、ネットワークでの通信制御処理を実行する。例えば、ＴＣＰ／ＩＰを用いたインターネット通信等が可能である。
【００２３】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００２４】
また、ＣＰＵ２０１は、ディスプレイ２１０上の不図示のマウスカーソル等でのユーザ指示を可能とする。
【００２５】
プリンタコントローラ２１２は、プリンタ２１３等の印刷機を制御する。プリンタ２１３の方式は、例えば、サーマルドットライン方式である。
【００２６】
スキャナコントローラ２１４は、スキャナ２１５等の識別器を制御する。
【００２７】
本発明を実現するためのプログラムは外部メモリ２１１に記録されており、必要に応じてＲＡＭ２０３にロードされることによりＣＰＵ２０１によって実行されるものである。
【００２８】
さらに、本発明に係わるプログラムが用いる各種データ及び各種テーブルは外部メモリ２１１に格納されており、これらについての詳細な説明は後述する。なお、全ての装置がこれらの構成を備えているわけではなく、必要なものを夫々備えていればよい。
【００２９】
次に、図３を用いて、情報処理装置１０２に適用可能なハードウェア構成の一例について説明する。
【００３０】
図３において、３０１はＣＰＵであり、システムバス３０４に接続される各デバイスやコントローラを統括的に制御する。
【００３１】
また、ＲＯＭ３０２あるいは外部メモリ３１１には、ＣＰＵ３０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各クライアントの実行する機能を実現するために必要な後述する各種プログラム等が記憶されている。ＲＡＭ３０３は、ＣＰＵ３０１の主メモリ、ワークエリア等として機能する。
【００３２】
ＣＰＵ３０１は、処理の実行に際して必要なプログラム等をＲＡＭ３０３にロードして、プログラムを実行することで各種動作を実現するものである。
【００３３】
また、入力コントローラ（入力Ｃ）３０５は、キーボード３０９や不図示のマウス等のポインティングデバイスからの入力を制御する。
【００３４】
ビデオコントローラ（ＶＣ）３０６は、ディスプレイ３１０への表示を制御する。ディスプレイは、ＣＲＴディスプレイでも液晶ディスプレイ等でも構わない。
【００３５】
メモリコントローラ（ＭＣ）３０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標）（ＦＤ）或いはＰＣＭＣＩＡカードスロットにアダプタを介して接続されるメモリ等の外部メモリ３１１へのアクセスを制御する。
【００３６】
通信Ｉ／Ｆコントローラ（通信Ｉ／ＦＣ）３０８は、ネットワーク１０３を介して、外部機器と接続・通信するものであり、ネットワークでの通信制御処理を実行する。例えば、ＴＣＰ／ＩＰを用いたインターネット通信等が可能である。
【００３７】
なお、ＣＰＵ３０１は、例えばＲＡＭ３０３内の表示情報用領域へアウトラインフォントの展開（ラスタライズ）処理を実行することにより、ディスプレイ３１０上での表示を可能としている。
【００３８】
また、ＣＰＵ３０１は、ディスプレイ３１０上の不図示のマウスカーソル等でのユーザ指示を可能とする。
【００３９】
本発明を実現するためのプログラムは外部メモリ３１１に記録されており、必要に応じてＲＡＭ３０３にロードされることによりＣＰＵ３０１によって実行されるものである。
【００４０】
さらに、本発明に係わるプログラムが用いる各種データ及び各種テーブルは外部メモリ３１１に格納されている。
【００４１】
次に、図４を用いて本実施形態における検針システムの機能構成の一例について説明する。尚、図４に示す機能構成はあくまで一例であり、用途や目的に応じて様々な構成例があるため、これに限定されない。これらの各機能は、携帯端末１０１のＣＰＵ２０１、情報処理装置１０２のＣＰＵ３０１、あるいはこれらが協業することにより実行される。
【００４２】
携帯端末１０１は、データ送受信部４０１、検針対象選択部４０２、検針結果受付部４０３、検針票生成部４０４、営業情報生成部４０５、出力制御部４０６、記憶部４０７を備える。
【００４３】
データ送受信部４０１は、情報処理装置１０２と各種情報の送受信を行う機能部である。ここで、データ送受信部４０１は、情報処理装置１０２から、各種情報として、顧客情報（図９における９００）、ガス検針情報（図９における９１０）、電気検針情報（図９における９２０）を受信する。データ送受信部４０１は、情報処理装置１０２へ、検針結果受付部４０３で入力を受け付けた検針結果を送信する。
【００４４】
検針対象選択部４０２は、検針作業の対象となる顧客を選択する機能部である。具体的には、検針対象選択部４０２は、ユーザの操作に応じて、顧客概要画面７２０のうち１の顧客を選択する。
【００４５】
検針結果受付部４０３は、検針対象選択部４０２で選択された顧客の検針結果の入力を受け付ける。具体的には、検針結果受付部４０３は、ユーザの操作に応じて、検針結果入力画面７３０に入力された検針結果を受け付ける。
【００４６】
検針票生成部４０４は、検針結果受付部４０３で受け付けた検針結果及び顧客情報をテンプレートに適用し、検針票データを生成する。なお、検針結果を出力するための帳票テンプレートは、前述の外部メモリ２１１に記憶されている。検針票生成部４０４は、検針結果受付部４０３で受け付けた顧客の契約内容によって検針票の内容が異なる。具体的には、検針票生成部４０４は、検針結果受付部４０３で受け付けた顧客が自社と契約していれば検針票を生成するが、自社と契約していない場合には検針票を生成しない。また、、検針票生成部４０４は、検針結果受付部４０３で受け付けた顧客が、電気の契約もしている倍には、当該検針結果を含む検針票を生成する。
【００４７】
営業情報生成部４０５は、検針結果受付部４０３で受け付けた検針結果及び顧客情報をテンプレートに適用し、営業情報を生成する。なお、営業情報を出力するための帳票テンプレートは、前述の外部メモリ２１１に記憶されている。営業情報生成部４０５は、検針結果受付部４０３で受け付けた顧客の契約内容によって異なる営業情報を生成する。ここで、営業情報とは、顧客を自社と契約させることを目的とした情報である。具体的には、営業情報は、一例として、他社から自社へ契約を切り替えた際の金額を算出したものである。営業情報生成部４０５は、検針結果受付部４０３で受け付けた顧客が自社と契約してない場合に、自社と契約した場合の検針結果をシミュレーションし、当該シミュレーション結果を基に営業情報を生成する。図１０の営業情報画面１０００は、生成された営業情報を表示する画面の一例である。
【００４８】
ここで、図１０の営業情報画面１０００について説明する。図１０の営業情報画面１０００は、顧客と自社との契約内容に対応した営業情報を表示する。例えば、図１０の営業情報画面１０００は、自社とガスおよび電気のいずれも契約していない場合には、それぞれ単独契約した場合のシミュレーション結果と、両方を契約した場合のシミュレーション結果を表示する。図１０の営業情報画面１０００は、自社とガスおよび電気のいずれが一方のみと契約している場合には、検針結果と、新たに一方と契約した場合のシミュレーション結果を表示する。このため、顧客に対し新たに契約するための機会を提供できる。
【００４９】
出力制御部４０６は、検針結果受付部４０３で受け付けた検針結果、および検針票生成部４０４と営業情報生成部４０５で生成したそれぞれのデータの出力制御を行う。出力制御部４０６は、検針票データおよび営業データをプリンタ２１３で印刷させるように出力制御する。また、出力制御部４０６は、検針結果受付部４０３で受け付けた検針結果を記憶部４０７へ記憶するように出力制御する。つまり、出力制御部４０６は、顧客の契約関係に応じて、検針結果の出力態様を決定する機能部であると言える。ここで、出力態様とは、各データをどのように出力させるかを示す態様である。より具体的には、出力態様は、検針票データおよび営業データを印刷出力するか否か、記憶させるか否か、を含む。
【００５０】
記憶部４０７は、各種情報を記憶する機能部である。記憶部４０７は、例えば、検針票生成部４０４により生成される検針票のテンプレートを記憶管理している。記憶部４０７は、例えば、営業情報生成部４０５により生成される営業情報のテンプレートを記憶管理している。さらに、記憶部４０７は、情報処理装置１０２の記憶部４１３で記憶される各データベースを取得して記憶する。この場合、記憶部４０７は、顧客情報９００を記憶する顧客情報記憶部として機能する。また、記憶部４０７は、営業情報および検針票のテンプレートを記憶するテンプレート記憶部として機能する。
【００５１】
情報処理装置１０２は、データ送受信部４１１、外部検針データ取込部４１２を備える。
【００５２】
データ送受信部４１１は、携帯端末１０１と各種情報の送受信を行う機能部である。ここで、データ送受信部４１１は、携帯端末１０１に対して、各種情報として、顧客情報（図９における９００）、ガス検針情報（図９における９１０）、電気検針情報（図９における９２０）を送信する。データ送受信部４１１は、携帯端末１０１から、検針結果受付部４０３で入力を受け付けた検針結果を受信する。
【００５３】
外部検針データ取得部４１２は、他の業者が行った検針結果をガス検針情報、および電気検針情報を取得する。情報処理装置１０２は、外部検針データ取得部４１２で取得した検針情報を記憶部４１３へ記憶する。
【００５４】
記憶部４１３は、図９に示すデータベースを記憶する。情報処理装置１０２は、記憶部４１３に記憶されるデータベースを携帯端末１０１の要求に応じて送信する。ここで、図９を用いてデータベースについて説明する。
【００５５】
顧客情報９００は、顧客を識別するための情報と、顧客の契約関係を示す情報とを含むデータベースである。顧客情報９００のうち顧客を識別するための情報は、顧客番号９０１と、顧客名９０２と、住所９０３である。なお、顧客を識別するための情報であればこれらに限定されるものではない。また、顧客情報９００のうち顧客の契約関係を示す情報は、電気契約区分９０４と、電気契約会社９０５と、ガス契約区分９０６と、ガス契約会社９０７を少なくとも含む。更に、顧客情報９００のうち顧客の契約関係を示す情報は、ガス契約ＣＤ９０８、ガス割引ＣＤ９０９を含む。以下、顧客の契約関係を示す情報のそれぞれについて詳細に説明する。
【００５６】
電気契約区分９０４またはガス契約区分９０６は、顧客が自社あるいは他社と契約していか否かを示す情報である。例えば、電気契約区分９０４が、「０：他社契約」であれば、他社と契約していることを示し、「１：自社契約」であれば、自社と契約していることを示す。まら、ガス契約区分９０６において、「９：他社契約（過去契約あり）」であれば、過去に自社と契約していたことを示す。なお、図示しないが、電気契約区分９０４にも、「９：他社契約（過去契約あり）」の区分があることはいうまでもない。
【００５７】
電気契約会社９０５またはガス契約会社９０７は、顧客が契約している会社名を示す情報である。ガス契約ＣＤ９０８は、ガス契約の種別を示す情報である。顧客は同じ使用量であっても、当該契約の種類によって検針結果に基づく料金が異なる。ガス割引ＣＤ９０９は、ガス契約の割引を示す情報である。「０１：電気ガスセット割引」であれば、電気とガスのそれぞれの料金を合算した料金からを基に割引されることを示す。「０２：大口割引」は、大口の契約に基づいた割引が適用され、「０３：夜間割引」は夜間の使用量が割引されることを占めす。なお、図示しないが、ガス契約ＣＤ、ガス割引ＣＤのみならず、電気契約についても同様の情報を記憶しておいてもよい。
【００５８】
次に、ガス検針情報９１０について説明する。ガス検針情報９１０は、顧客ごとに、過去の検針結果と、今回の検針結果とを対応づけて記憶する情報である。顧客番号９１１は顧客を識別するための情報であり、顧客番号９０１と同様の情報である。なお、顧客を識別するための情報は、顧客番号９１１に限定されるものでなく、例えば、顧客名９０２を用いてもよい。ガス検針情報９１０は、過去の検針結果を示す情報として、前回指針９１２と、前回使用量９１４とを含む。なお、過去の検針結果を示す情報は、過去数回分あるいは、所定の日時まで遡って記憶していてもよい。また、ガス検針情報９１０は、今回の検針結果を示す情報として、今回指針９１３と、今回使用量９１５と、請求金額９１６とを含む。
【００５９】
次に、電気検針情報９２０について説明する。電気検針情報９２０は、顧客ごとに、過去の検針結果と、今回の検針結果とを対応づけて記憶する情報である。顧客番号９２１は顧客を識別するための情報であり、顧客番号９０１と同様の情報である。なお、顧客を識別するための情報は、顧客番号９２１に限定されるものでなく、例えば、顧客名９０２を用いてもよい。電気検針情報９２０は、過去の検針結果を示す情報として、前回指針９２２と、前回使用量９２４とを含む。なお、過去の検針結果を示す情報は、過去数回分あるいは、所定の日時まで遡って記憶していてもよい。また、電気検針情報９２０は、今回の検針結果を示す情報として、今回指針９２３と、今回使用量９２５と、請求金額９２６とを含む。
【００６０】
次に、図５を用いて、検針業務の際に携帯端末が実施する処理について説明する。図５は、検針業務の際に携帯端末が実施する各処理の一例を示すフローチャートである。なお、以下の説明で図７および図１０を用いて説明する各画面は、携帯端末１０１のディスプレイ２１０に表示される画面である。また、以下のフローチャートの開始に先立って、携帯端末１０１は、図９に示す、顧客情報９００、ガス検針情報９１０、電気検針情報９２０の各データベースを受信し、外部メモリ２１１に記憶しているものとする。なお、携帯端末１０１は、外部メモリ２１１に常時記憶させず、適宜情報処理装置１０２にアクセスし、ＲＡＭ２０３等に一時的に記憶してもよい。
【００６１】
Ｓ５０１において、携帯端末１０１のＣＰＵ２０１は、図７のメインメニュー画面７００を表示して処理選択の受付監視状態にて待機し、利用者によって選択された処理内容を受け付ける。ここで、図７のメインメニュー画面７００は、携帯端末１０１で実行可能な各種機能を表示する画面である。
【００６２】
Ｓ５０２において、携帯端末１０１のＣＰＵ２０１は、メインメニュー画面７００の検針メニューが選択された場合に、検針メニュー画面７１０を表示する。ここで、図７の検針メニュー画面７１０は、携帯端末１０１で実行可能な検針機能を表示する画面である。携帯端末１０１のＣＰＵ２０１は、検針メニュー画面７１０を表示している間、検針業務の選択の受付監視状態にて待機し、利用者によって選択された処理内容を受け付ける。
【００６３】
Ｓ５０３において、携帯端末１０１のＣＰＵ２０１は、図７の検針メニュー画面７１０の「顧客概要」が選択された場合に、顧客概要画面７２０を表示する。ここで、図７の顧客概要画面７２０は、携帯端末１０１で選択可能な顧客を一覧から選択可能に表示する画面である。携帯端末１０１のＣＰＵ２０１は、顧客概要画面７２０を表示して顧客選択の受付監視状態にて待機し、利用者によって選択された処理内容を受け付ける。
【００６４】
Ｓ５０４において、携帯端末１０１のＣＰＵ２０１は、顧客概要画面７２０のうち１の顧客が選択された場合に、検針結果入力画面７３０を表示する。ここで、図７の検針結果入力画面７３０は、選択した顧客の指針を入力可能に表示する画面である。携帯端末１０１のＣＰＵ２０１は、検針結果入力画面７３０を表示して指針の受付監視状態にて待機し、利用者によって選択された処理内容を受け付ける。
【００６５】
Ｓ５０５において、携帯端末１０１のＣＰＵ２０１は、検針結果入力画面７３０で指針が入力された場合に、営業情報の取得処理を行う。なお、営業情報の取得処理については、図６を用いて後述する。
【００６６】
Ｓ５０６において、携帯端末１０１のＣＰＵ２０１は、顧客概要画面７２０で選択された顧客が、自社とガス契約をしているか否かを判定する。携帯端末１０１のＣＰＵ２０１は、顧客情報９００のうち顧客概要画面７２０で選択された顧客のガス契約区分９０６を参照し、自社でガス契約していれば、Ｓ５０７の処理に遷移する。一方で、携帯端末１０１のＣＰＵ２０１は、顧客情報９００のうち顧客概要画面７２０で選択された顧客のガス契約区分９０６を参照し、自社でガス契約していない場合には、Ｓ５１５の処理に遷移する。以下、自社でガス契約を行っている場合の携帯端末１０１のＣＰＵ２０１の制御フローについて先に説明した後に、自社でガス契約を行っていない場合の携帯端末１０１のＣＰＵ２０１の制御フローについて説明を行う。
【００６７】
Ｓ５０７において、携帯端末１０１のＣＰＵ２０１は、顧客概要画面７２０で選択された顧客が、自社と電気契約をしているか否かを判定する。携帯端末１０１のＣＰＵ２０１は、顧客情報９００のうち顧客概要画面７２０で選択された顧客の電気契約区分９０４を参照し、自社で電気契約していれば、Ｓ５０８の処理に遷移する。一方で、携帯端末１０１のＣＰＵ２０１は、顧客情報９００のうち顧客概要画面７２０で選択された顧客の電気契約区分９０４を参照し、自社でガス契約していない場合には、Ｓ５１２の処理に遷移する。
【００６８】
Ｓ５０８において、携帯端末１０１のＣＰＵ２０１は、顧客概要画面７２０で選択された顧客の電気検針情報９２０を参照し、請求金額９２６を取得する。
【００６９】
Ｓ５０９において、携帯端末１０１のＣＰＵ２０１は、図８の請求画面８００を表示する。請求画面８００は、顧客概要画面７２０で選択された顧客の、ガスの検針結果に基づく請求金額と電気検針情報に基づく請求金額の両方、またはこれらを合算した請求金額が表示される画面である。携帯端末１０１のＣＰＵ２０１は、請求画面８００を表示している間、操作選択の受付監視状態にて待機し、利用者によって選択された処理内容を受け付ける。
【００７０】
Ｓ５１０において、携帯端末１０１のＣＰＵ２０１は、請求画面８００の「確認」が選択された場合に、図８の合計票出力確認画面８１０を表示する。携帯端末１０１のＣＰＵ２０１は、合計票出力確認画面８１０を表示している間、操作選択の受付監視状態にて待機し、利用者によって選択された処理内容を受け付ける。
【００７１】
Ｓ５１１において、携帯端末１０１のＣＰＵ２０１は、合計票出力確認画面８１０の「確認」が選択された場合に、合計票を印刷出力する。携帯端末１０１のＣＰＵ２０１は、顧客概要画面７２０を表示し、次の顧客の検針入力の受付監視状態にて待機する。
【００７２】
Ｓ５１２において、携帯端末１０１のＣＰＵ２０１は、請求画面８００を表示する。請求画面８００は、顧客概要画面７２０で選択された顧客の、ガスの検針結果に基づく請求金額が表示される。携帯端末１０１のＣＰＵ２０１は、請求画面８００を表示している間、操作選択の受付監視状態にて待機し、利用者によって選択された処理内容を受け付ける。なお、自社で自社と電気契約をしていない顧客への請求であるため、請求画面８００に電気検針情報に基づく請求金額は含まれない。
【００７３】
Ｓ５１３において、携帯端末１０１のＣＰＵ２０１は、請求画面８００の「確認」が選択された場合に、図８の検針票出力確認画面８２０を表示する。携帯端末１０１のＣＰＵ２０１は、検針票出力確認画面８２０を表示している間、操作選択の受付監視状態にて待機し、利用者によって選択された処理内容を受け付ける。
【００７４】
Ｓ５１４において、携帯端末１０１のＣＰＵ２０１は、検針票出力確認画面８２０の「確認」が選択された場合に、検針票を印刷出力する。なお、検針票には、Ｓ５０５で取得した営業情報が含まれる。携帯端末１０１のＣＰＵ２０１は、顧客概要画面７２０を表示し、次の顧客の検針入力の受付監視状態にて待機する。
【００７５】
以上、自社でガス契約を行っている場合の携帯端末１０１のＣＰＵ２０１の制御フローについて説明した。以下、自社でガス契約を行っていない場合の携帯端末１０１のＣＰＵ２０１の制御フローについて説明を行う。
【００７６】
Ｓ５１５において、携帯端末１０１のＣＰＵ２０１は、顧客概要画面７２０で選択された顧客が、自社と電気契約をしているか否かを判定する。携帯端末１０１のＣＰＵ２０１は、顧客情報９００のうち顧客概要画面７２０で選択された顧客の電気契約区分９０４を参照し、自社で電気契約していれば、Ｓ５１６の処理に遷移する。一方で、携帯端末１０１のＣＰＵ２０１は、顧客情報９００のうち顧客概要画面７２０で選択された顧客の電気契約区分９０４を参照し、自社でガス契約していない場合には、Ｓ５２０の処理に遷移する。
【００７７】
Ｓ５１６において、携帯端末１０１のＣＰＵ２０１は、顧客概要画面７２０で選択された顧客の電気検針情報９２０を参照し、請求金額９２６を取得する。
【００７８】
Ｓ５１７において、携帯端末１０１のＣＰＵ２０１は、請求画面８００を表示する。請求画面８００は、顧客概要画面７２０で選択された顧客の電気検針情報に基づく請求金額が表示される。携帯端末１０１のＣＰＵ２０１は、請求画面８００を表示している間、操作選択の受付監視状態にて待機し、利用者によって選択された処理内容を受け付ける。
【００７９】
Ｓ５１８において、携帯端末１０１のＣＰＵ２０１は、請求画面８００の「確認」が選択された場合に、検針票出力確認画面８２０を表示する。携帯端末１０１のＣＰＵ２０１は、検針票出力確認画面８２０を表示している間、操作選択の受付監視状態にて待機し、利用者によって選択された処理内容を受け付ける。
【００８０】
Ｓ５１９において、携帯端末１０１のＣＰＵ２０１は、検針票出力確認画面８２０の「確認」が選択された場合に、検針票を印刷出力する。なお、検針票には、Ｓ５０５で取得した営業情報が含まれる。携帯端末１０１のＣＰＵ２０１は、顧客概要画面７２０を表示し、次の顧客の検針入力の受付監視状態にて待機する。
【００８１】
Ｓ５２０において、携帯端末１０１のＣＰＵ２０１は、営業情報画面１０００を表示する。営業情報画面１０００は、顧客概要画面７２０で選択された顧客のガス検針結果に基づいてシミュレーションされた金額が表示される。携帯端末１０１のＣＰＵ２０１は、営業情報画面１０００を表示している間、操作選択の受付監視状態にて待機し、利用者によって選択された処理内容を受け付ける。
【００８２】
Ｓ５２１において、携帯端末１０１のＣＰＵ２０１は、営業情報画面１０００の「確認」が選択された場合に、図１０のチラシ出力確認画面１０１０を表示する。携帯端末１０１のＣＰＵ２０１は、チラシ出力確認画面１０１０を表示している間、操作選択の受付監視状態にて待機し、利用者によって選択された処理内容を受け付ける。
【００８３】
Ｓ５２２において、携帯端末１０１のＣＰＵ２０１は、チラシ出力確認画面１０１０の「確認」が選択された場合に、チラシを印刷出力する。なお、チラシには、Ｓ５０５で取得した営業情報が含まれる。携帯端末１０１のＣＰＵ２０１は、顧客概要画面７２０を表示し、次の顧客の検針入力の受付監視状態にて待機する。
【００８４】
以上、図５の検針業務の際に携帯端末が実施する各処理の一例を示すフローチャートの説明を終了する。
【００８５】
次に、図６を用いて、営業情報の取得処理について説明する。なお、処理は図５におけるＳ５０５の処理である。
【００８６】
Ｓ６０１において、携帯端末１０１のＣＰＵ２０１は、顧客概要画面７２０で選択された顧客が、自社とガス契約をしているか否かを判定する。携帯端末１０１のＣＰＵ２０１は、顧客情報９００のうち顧客概要画面７２０で選択された顧客のガス契約区分９０６を参照し、自社でガス契約していれば、Ｓ６０１の処理に遷移する。一方で、携帯端末１０１のＣＰＵ２０１は、顧客情報９００のうち顧客概要画面７２０で選択された顧客のガス契約区分９０６を参照し、自社でガス契約していない場合には、Ｓ６０５の処理に遷移する。以下、自社でガス契約を行っている場合の携帯端末１０１のＣＰＵ２０１の制御フローについて先に説明した後に、自社でガス契約を行っていない場合の携帯端末１０１のＣＰＵ２０１の制御フローについて説明を行う。
【００８７】
Ｓ６０２において、携帯端末１０１のＣＰＵ２０１は、顧客概要画面７２０で選択された顧客が、自社と電気契約をしているか否かを判定する。携帯端末１０１のＣＰＵ２０１は、顧客情報９００のうち顧客概要画面７２０で選択された顧客の電気契約区分９０４を参照し、自社で電気契約していれば、営業情報を取得せずに終了する。一方で、携帯端末１０１のＣＰＵ２０１は、顧客情報９００のうち顧客概要画面７２０で選択された顧客の電気契約区分９０４を参照し、自社で電気契約していない場合には、Ｓ６０３の処理に遷移する。
【００８８】
Ｓ６０３において、携帯端末１０１のＣＰＵ２０１は、営業情報として、自社と電気契約した場合の請求金額を算出する。携帯端末１０１のＣＰＵ２０１は、自社でガスと電気を契約した場合に、ガス料金または電気料金のそれぞれの割引金額を算出してもよい。または、携帯端末１０１のＣＰＵ２０１は、自社でガスと電気を契約した場合に、これらを合算した料金の割引金額を算出してもよい。なお、割引金額は、自社でガスと電気を契約した場合の割引率に基づいて算出される。当該割引率は、例えば、冬季割引等の季節限定の割引等を含みうる。
【００８９】
Ｓ６０４において、携帯端末１０１のＣＰＵ２０１は、算出した請求金額を記憶する。
【００９０】
以上、自社でガス契約を行っている場合の携帯端末１０１のＣＰＵ２０１の制御フローについて説明した。次に、自社でガス契約を行っていない場合の携帯端末１０１のＣＰＵ２０１の制御フローについて説明を行う。
【００９１】
Ｓ６０５において、携帯端末１０１のＣＰＵ２０１は、顧客概要画面７２０で選択された顧客が、自社と電気契約をしているか否かを判定する。携帯端末１０１のＣＰＵ２０１は、顧客情報９００のうち顧客概要画面７２０で選択された顧客の電気契約区分９０４を参照し、自社で電気契約していれば、Ｓ６０６の処理に遷移する。一方で、携帯端末１０１のＣＰＵ２０１は、顧客情報９００のうち顧客概要画面７２０で選択された顧客の電気契約区分９０４を参照し、自社で電気契約していない場合には、Ｓ６０９の処理に遷移する。
【００９２】
Ｓ６０６において、携帯端末１０１のＣＰＵ２０１は、顧客概要画面７２０で選択された顧客が、過去に自社とガス契約をしていたか否かを判定する。具体的には、携帯端末１０１のＣＰＵ２０１は、顧客情報９００のうち顧客概要画面７２０で選択された顧客のガス契約区分９０６を参照し、判定を行う。
【００９３】
Ｓ６０７において、携帯端末１０１のＣＰＵ２０１は、営業情報として、自社とガス契約した場合の請求金額を算出する。携帯端末１０１のＣＰＵ２０１は、自社でガスと電気を契約した場合に、ガス料金または電気料金のそれぞれの割引金額を算出してもよい。または、携帯端末１０１のＣＰＵ２０１は、自社でガスと電気を契約した場合に、これらを合算した料金の割引金額を算出してもよい。なお、割引金額は、自社でガスと電気を契約した場合の割引率に基づいて算出される。当該割引率は、例えば、冬季割引等の季節限定の割引等を含みうる。
【００９４】
Ｓ６０８において、携帯端末１０１のＣＰＵ２０１は、営業情報として、自社とガス契約した場合の請求金額を算出する。携帯端末１０１のＣＰＵ２０１は、自社でガスと電気を契約した場合に、ガス料金または電気料金のそれぞれの割引金額を算出してもよい。または、携帯端末１０１のＣＰＵ２０１は、自社でガスと電気を契約した場合に、これらを合算した料金の割引金額を算出してもよい。なお、割引金額は、自社でガスと電気を契約した場合の割引率に基づいて算出される。当該割引率は、例えば、冬季割引等の季節限定の割引等を含みうる。また、当該顧客は新規契約であるため、算出された請求金額は新規契約に割引が適用される。
【００９５】
Ｓ６０９において、携帯端末１０１のＣＰＵ２０１は、顧客概要画面７２０で選択された顧客が、過去に自社とガス契約または電気契約をしていたか否かを判定する。具体的には、携帯端末１０１のＣＰＵ２０１は、顧客情報９００のうち顧客概要画面７２０で選択された顧客の電気契約区分９０４とガス契約区分９０６を参照し、判定を行う。
【００９６】
Ｓ６１０において、携帯端末１０１のＣＰＵ２０１は、営業情報として、自社とガス契約した場合の請求金額を算出する。携帯端末１０１のＣＰＵ２０１は、自社でガスと電気を契約した場合に、ガス料金または電気料金のそれぞれの割引金額を算出してもよい。または、携帯端末１０１のＣＰＵ２０１は、自社でガスと電気を契約した場合に、これらを合算した料金の割引金額を算出してもよい。さらに、携帯端末１０１のＣＰＵ２０１は、自社でガスと電気の一方のみを契約した場合に、これらの請求金額の割引金額を算出してもよい。なお、割引金額は、自社でガスと電気を契約した場合の割引率に基づいて算出される。当該割引率は、例えば、冬季割引等の季節限定の割引等を含みうる。
【００９７】
Ｓ６１１において、携帯端末１０１のＣＰＵ２０１は、営業情報として、自社とガス契約および電気契約をした場合の請求金額を算出する。携帯端末１０１のＣＰＵ２０１は、自社でガスと電気を契約した場合に、ガス料金または電気料金がそれぞれいくら割引になるか算出してもよい。または、携帯端末１０１のＣＰＵ２０１は、自社でガスと電気を契約した場合に、これらを合算した料金の割引金額を算出してもよい。
【００９８】
また、携帯端末１０１のＣＰＵ２０１は、ガス契約または電気契約のいずれか一方をした場合の請求金額を算出してもよい。この場合には、携帯端末１０１のＣＰＵ２０１は、ガス契約または電気契約の両方を行った場合、いずれか一方をした場合の３つの請求金額を算出して出力することもできるし、いずれか一つの請求金額のみを出力することもできる。なお、割引金額は、自社でガスと電気を契約した場合の割引率に基づいて算出される。当該割引率は、例えば、冬季割引等の季節限定の割引等を含みうる。また、当該顧客は新規契約であるため、算出された請求金額は新規契約に割引が適用される。
【００９９】
以上、上述の本実施形態によれば、検針員による検針作業で用いられる携帯端末（検針システム）は、以下の構成を有している。すなわち、携帯端末は、検針作業の対象となる顧客との契約関係を示す情報を含む顧客情報を記憶しており、当該顧客情報を用いて検針作業の対象となる顧客を選択する。そして、携帯端末は、当該選択した顧客の検針結果を受け付けるとともに、顧客の契約関係に基づいて、受け付けた検針結果の出力態様を決定するように制御する。このことにより、需要家との契約関係に対応した検針業務を行うことを可能にする携帯端末を提供することができる。より具体的には、今までは、自社の電気あるいはガスの供給エリア内の需要家に対し、需要家情報を携帯端末にダウンロード後に検針結果を入力し、検針票を出力していた。つまり、検針員の会社が検針を行う顧客と契約していることが前提であった。しかしながら、ガス契約、電気契約、あるいはその他の事業の自由化に伴い、様々な契約態様が想定されうる。この場合に、検針結果の出力態様も多様化する。具体的には、携帯端末の処理として、検針を実施するが検針票を出力しない場合や、他の検針結果を用いて合算した検針票を出力すること等が想定され得る。このため、携帯端末の処理を、需要家の契約状況に基づいて検針結果の出力態様を決定することにより、柔軟な処理が可能となる。
【０１００】
さらに、上述の本実施形態によれば、検針員による検針作業で用いられる携帯端末（検針システム）は、以下の構成を有している。すなわち、携帯端末は、顧客情報における契約関係に基づいて、選択した顧客を自社と契約させるための営業情報の出力態様を決定する。このことにより、需要家の契約関係に対応して顧客獲得のための営業情報を出力する携帯端末を提供することができる。上述のように、ガス契約、電気契約、あるいはその他の事業の自由化に伴い、様々な契約関係にあることが考えられる。このような場合に、検針員は、自社と契約するメリットを適切に伝えることにより、新規顧客を獲得する機会を創出することが可能となる。さらに、本実施形態で説明した携帯端末は、営業情報として、実際の検針結果を用いて具体的な請求金額面でのメリットを提示することができる。特に、携帯端末は、顧客との過去または現在の契約内容を参照することにより、適切な営業情報を出力することができる。
【０１０１】
なお、本実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も実施例として適用することができる。また、上記のプログラムも実施形態として適用することができる。上記のプログラム、記録媒体、伝送媒体およびプログラムプロダクトは、本発明の範疇に含まれる。
【０１０２】
以上、実施形態に基づいて詳述してきたが、特定の実施形態に限られるものではなく、発明の要旨を逸脱しない範囲の様々な形態も本発明の範疇に含まれる。さらに、上述した実施形態は一実施の形態を示すものにすぎず、上述した実施形態から容易に想像可能な発明も本発明の範疇に含まれる。
【符号の説明】
【０１０３】
１０      検針システム
１０１    携帯端末
１０２    情報処理装置
４０２    検針対象選択部
４０３    検針結果受付部
４０６    出力制御部
４０７    記憶部
【図１】
2019113954.tif 000003
【図２】
2019113954.tif 000004
【図３】
2019113954.tif 000005
【図４】
2019113954.tif 000006
【図５】
2019113954.tif 000007
【図６】
2019113954.tif 000008
【図７】
2019113954.tif 000009
【図８】
2019113954.tif 000010
【図９】
2019113954.tif 000011
【図１０】
2019113954.tif 000012